(57)【要約】【課題】換気対象空間内の要換気箇所を短時間で換気できる換気システムを得ること。【解決手段】換気システム８０は、換気対象空間に設置される複数の換気装置１１，１２，１３と、換気装置１１，１２，１３を制御する制御装置２０と、換気装置１１，１２，１３の設置箇所の室内環境を検知する環境検知センサ部１２１，２２１，３２１とを有し、制御装置２０は、設置箇所の室内環境が条件を満たす全ての換気装置１１，１２，１３の換気量を平常時よりも増加させ、設置箇所の室内環境が条件を満たさない換気装置１１，１２，１３の換気量を、複数の換気装置１１，１２，１３による総換気量が必要換気総風量以上で最小となる風量に設定する。【選択図】図１
2020026888.tif 000002
【特許請求の範囲】
【請求項１】
換気対象空間に設置される複数の換気装置と、
複数の前記換気装置を制御する制御装置と、
前記換気装置の設置箇所の室内環境を検知する環境検知センサ部とを有し、
前記制御装置は、設置箇所の室内環境が条件を満たす全ての前記換気装置の換気量を平常時よりも増加させ、設置箇所の室内環境が条件を満たさない前記換気装置の換気量を、前記複数の換気装置による総換気量が必要換気総風量以上で最小となる風量に設定することを特徴とする換気システム。
【請求項２】
前記環境検知センサ部は、
前記換気装置の設置箇所に人がいることを検知することを特徴とする請求項１に記載の換気システム。
【請求項３】
前記制御装置は、設置箇所に人がいる前記換気装置の風量を増加させる空気質重視モードと、設置箇所に人がいる前記換気装置の風量を減少させる静音性重視モードとのいずれかを設定可能であることを特徴とする請求項１又は２に記載の換気システム。
【請求項４】
前記環境検知センサ部は、前記室内環境を複数種類検知し、
前記制御装置は、前記環境検知センサ部が検知する複数の前記室内環境の優先順位を記憶する順位情報記憶部を有し、優先順位が上位の前記室内環境から順番に風量増加の条件を満たすか否かを判断し、複数の前記換気装置の全てが風量増加の条件を満たさない場合に、次順位の前記室内環境が風量増加の条件を満たすか否かの判断を行うことを特徴とする請求項１から３のいずれか１項に記載の換気システム。
【請求項５】
前記制御装置は、ホームエネルギーマネージメントシステムのコントローラを介して取得した前記換気対象空間に設置された空気調和機の運転情報を前記室内環境とすることを特徴とする請求項１から４のいずれか１項に記載の換気システム。
【請求項６】
前記制御装置は、複数の前記換気装置の設置箇所の前記室内環境を記憶し、前記室内環境が定期的に風量増加の条件を満たす場合は、前記室内環境が風量増加の条件を満たすのに先だって前記換気装置の換気量を最大風量に設定することを特徴とする請求項１から５のいずれか１項に記載の換気システム。
【発明の詳細な説明】
【技術分野】
【０００１】
本発明は、室内空気を室外に排気する換気システムに関する。
【背景技術】
【０００２】
天井又は壁に据え付けられる換気装置は、部屋の広さ又は居住人数に合わせた換気風量を満たす台数が換気対象空間に設置される。近年、住宅内の建材から発生する揮発性有機化合物（Volatile  Organic  Compounds,  VOC）の問題が顕在化し、２４時間常時換気をするなど、各居室に合わせた適切な換気風量で換気を行うことが必要となっている。
【０００３】
特許文献１には、室内に複数設置した換気装置が情報を送受信し、室内に必要な換気風量を満足するように、各換気装置の風量を制御することが開示されている。
【０００４】
上記のような換気装置で、特に住宅のように換気装置がそれぞれ決まった箇所に配置される場合は、室内環境によって、ある箇所の換気装置の風量を変更した際に、他の換気装置の風量を変更して住宅に必要な換気風量を最適に調節できることは、使用者にとってメリットであった。
【先行技術文献】
【特許文献】
【０００５】
【特許文献１】特開２０１４−０７７６２３号公報
【発明の概要】
【発明が解決しようとする課題】
【０００６】
しかしながら、特許文献１に開示される発明は、ある箇所で急速に換気が必要な場合でも、換気対象空間の必要換気総風量を上回るまで換気が必要な要換気箇所の換気風量を一時的に増やして一気に換気することはできないため、要換気箇所の空気が清浄な状態になるまで時間を要し、快適性が劣る場合があった。
【０００７】
本発明は、上記に鑑みてなされたものであって、換気対象空間内の要換気箇所を短時間で換気できる換気システムを得ることを目的とする。
【課題を解決するための手段】
【０００８】
上述した課題を解決し、目的を達成するために、本発明は、換気対象空間に設置される複数の換気装置と、複数の換気装置を制御する制御装置と、換気装置の設置箇所の室内環境を検知する環境検知センサ部とを有する。制御装置は、設置箇所の室内環境が条件を満たす全ての換気装置の換気量を平常時よりも増加させ、設置箇所の室内環境が条件を満たさない換気装置の換気量を、複数の換気装置による総換気量が必要換気総風量以上で最小となる風量に設定する。
【発明の効果】
【０００９】
本発明によれば、換気対象空間内の要換気箇所を短時間で換気できるという効果を奏する。
【図面の簡単な説明】
【００１０】
【図１】本発明の実施の形態１に係る換気システムの構成を示す図
【図２】実施の形態１に係る換気システムの制御装置が換気装置の風量を制御する動作の流れを示すフローチャート
【図３】実施の形態１に係る換気システムが設置された事務室の見取り図
【図４】図３に示した事務室に人が入室した状態を示す図
【図５】図４に示した人が在室中の事務室の空気質が悪化した状態を示す図
【図６】図４に示した人が在室中の事務室の室温が高くなった状態を示す図
【図７】実施の形態１に係る換気システムが設置された事務室の室温が高くなっている時に空気調和機を運転した状態を示す図
【図８】実施の形態１に係る制御装置の制御部の機能をハードウェアで実現した構成を示す図
【図９】実施の形態１に係る制御装置の制御部の機能をソフトウェアで実現した構成を示す図
【発明を実施するための形態】
【００１１】
以下に、本発明の実施の形態に係る換気システムを図面に基づいて詳細に説明する。なお、この実施の形態によりこの発明が限定されるものではない。
【００１２】
実施の形態１．
図１は、本発明の実施の形態１に係る換気システムの構成を示す図である。実施の形態１に係る換気システム８０は、三台の換気装置１１，１２，１３と制御装置２０とを備える。換気装置１１，１２，１３と制御装置２０とは通信可能である。換気装置１１，１２，１３と制御装置２０との接続形態は、有線接続であっても無線接続であってもよい。換気装置１１，１２，１３は、換気対象空間である事務室５０に設置される。図１において、制御装置２０は、事務室５０の外に設置されているが、事務室５０内に設置されてもよい。ここで、事務室５０の必要換気総風量は、５４０ｍ３／ｈであるとする。
【００１３】
換気装置１１は、換気流を形成する換気扇１１１と、室内環境を検知する環境検知センサ部１２１と、換気扇１１１を制御する制御回路１３１とを有している。環境検知センサ部１２１は、人の存在を検知する人感センサ６１と、室温を検知する温度センサ６２と、湿度を検知する湿度センサ６３と、空気中の微粒子の含有量を測定する浮遊物質センサ６４と、空気中に含まれる特定のガス成分の濃度を検出するガスセンサ６５とを備えている。すなわち、実施の形態１において、室内環境とは、人の有無、温度、湿度、浮遊物質含有量及びガス濃度の上昇である。浮遊物質センサ６４が検出する微粒子は、ＰＭ（Particulate  Matter）２．５と称される粒子径２．５μｍ以下の固体又は液体の粒子及び花粉を例示できる。ガスセンサ６５には、ＣＯ２センサ及び臭気センサを例示できる。制御回路１３１は、環境検知センサ部１２１の各種センサの検知結果を制御装置２０に送信する機能と、換気風量設定情報を制御装置２０から受信する機能とを備えている。
【００１４】
換気装置１２，１３は、換気装置１１と同様に、換気扇２１１，３１１、環境検知センサ部２２１，３２１及び制御回路２３１，３３１を備えている。換気装置１２，１３の環境検知センサ部２２１，３２１は、図示は省略するが、換気装置１１の環境検知センサ部１２１と同様に各種センサを備えている。
【００１５】
換気装置１１，１２，１３は、強、弱及び微弱の三段階の換気強度設定が可能である。ここで、換気強度が強の設定での換気量は２５０ｍ３／ｈ、弱の設定での換気量は１８０ｍ３／ｈ、微弱の設定での換気量は４０ｍ３／ｈである。上記のように、事務室５０の必要換気総風量は、５４０ｍ３／ｈであるため、換気装置１１，１２，１３の換気強度を弱に設定すれば必要換気総風量は確保される。換気対象空間の必要換気総風量は、床面積又は居住人数に合わせて定めることが一般的であり、最大風量で運転する換気装置１１，１２，１３が換気対象空間に一台も無くても必要換気総風量が確保されるように、換気装置１１，１２，１３の設置台数は三台に決定されている。
【００１６】
制御装置２０は、換気装置１１，１２，１３の換気強度を設定する制御部２１を備えている。制御部２１は、換気装置１１，１２，１３の制御回路１３１，２３１，３３１から送られてくる室内環境の検知結果が風量増加の条件を満たす場合に、換気装置１１，１２，１３の換気風量を平常時よりも増加させる。実施の形態１においては、制御部２１は、換気装置１１，１２，１３の換気強度を強に設定し、換気風量を平常時よりも増加させるものとする。ただし、換気装置１１，１２，１３の換気風量を平常時よりも増加させるにあたって、換気風量を最大に設定する必要はなく、換気装置１１，１２，１３の運転ノッチが５段階であれば、２番目に風量が多い換気強度に設定して風量を平常時よりも増加させてもよい。換気風量を平常時よりも増加させる風量増加の条件には、人が存在すること、温度が下限値以下又は上限値以上であること、湿度が下限値以下又は上限値以上であること、ガス成分の濃度が基準値以上であること、微粒子の含有量が基準値以上であることを例示できる。
【００１７】
また、制御装置２０は、事務室５０の必要換気総風量を記憶する必要換気量記憶部２２を備えている。急速に換気を行う必要があるエリアを要換気箇所と定義する場合、制御部２１は、換気装置１１，１２，１３の設置箇所の中に要換気箇所が一つでもあれば、要換気箇所に設置されている換気装置１１，１２，１３の換気強度を風量が最大となる強に設定する。また、制御部２１は、要換気箇所以外に設置されている換気装置１１，１２，１３には、換気装置１１，１２，１３による総換気量が必要換気総風量以上で最小になる組み合わせとなるように換気強度を設定する。ただし、制御部２１は、要換気箇所以外に設置されている換気装置１１，１２，１３の運転強度を強には設定しないものとする。なお、上記条件を満たす組み合わせが複数存在する場合には、制御部２１は、換気風量の偏差が小さくなるように換気装置１１，１２，１３の換気強度を設定する。
【００１８】
具体例を挙げて説明すると、換気装置１１，１２，１３のうちのいずれか二台の設置箇所が要換気箇所となっている場合、制御部２１は、要換気箇所に設置されている二台の換気強度を強に設定する。必要換気総風量５４０ｍ３／ｈのうち、換気強度が強に設定される二台が２５０×２＝５００［ｍ３／ｈ］を分担することから、残りの必要換気風量は５４０−（２５０×２）＝４０［ｍ３／ｈ］となる。したがって、制御部２１は、要換気箇所以外に設置されている一台の換気強度を微弱に設定する。また、換気装置１１，１２，１３のうちのいずれか一台の設置箇所が要換気箇所となっている場合、制御部２１は、要換気箇所に設置されている一台の換気強度を強に設定する。必要換気総風量５４０ｍ３／ｈのうち、換気強度が強に設定される一台が２５０ｍ３／ｈを分担することから、残りの必要換気風量は５４０−２５０＝２９０［ｍ３／ｈ］となる。換気強度が弱及び微弱の組み合わせで換気量が２９０ｍ３／ｈ以上となるのは、二台とも換気強度を弱に設定する場合であるため、制御部２１は、要換気箇所以外に設置されている二台の換気強度を弱に設定する。
【００１９】
また、制御装置２０は、室内環境の優先順位の情報を記憶する優先順位記憶部２３を備えている。室内環境の優先順位とは、環境検知センサ部１２１，２２１，３２１が有する各種センサによる検知のうち、人の有無、室温上昇、室温の低下、室内の過加湿、室内の乾燥、浮遊物質の増加及びガス濃度の上昇のうち、どれを優先して風量を増加させるかを表す。以下の説明においては、換気装置１１，１２，１３が設置されたエリアに人が存在することよりも室温が閾値以上であることの方が高い優先順位に設定されているものとする。また、換気装置１１，１２，１３が設置されたエリアに人が存在することよりも、浮遊物質量が閾値以上であることの方が高い優先順位に設定されているものとする。制御部２１は、優先順位が上位の室内環境から順番に風量増加の条件を満たすか否かを判断し、換気装置１１，１２，１３の全てが風量増加の条件を満たさない場合に、次順位の室内環境が風量増加の条件を満たすか否かの判断を行う。
【００２０】
図２は、実施の形態１に係る換気システムの制御装置が換気装置の風量を制御する動作の流れを示すフローチャートである。ステップＳ１において、制御部２１は、各換気装置１１，１２，１３の制御回路１３１，２３１，３３１から室内環境情報を受信する。ステップＳ２において、制御部２１は、まだ風量増加の判断の対象にしていない室内環境の中で、優先順位が最上位の室内環境について、風量増加の条件を満たす換気装置１１，１２，１３が存在するか否かを判断する。換気装置１１，１２，１３のいずれかの室内環境が風量増加の条件を満たす場合、ステップＳ２でＹｅｓとなり、ステップＳ３において、制御部２１は、風量増加の条件を満たす換気装置１１，１２，１３の制御回路１３１，２３１，３３１に換気風量を平常時よりも増加させる換気風量設定情報を送信し、室内環境が風量増加の条件を満たす換気装置１１，１２，１３の運転強度を強める。ステップＳ３ののち、処理を終了する。
【００２１】
また、換気装置１１，１２，１３のいずれも室内環境が風量増加の条件を満さない場合、ステップＳ２でＮｏとなり、ステップＳ４において、制御部２１は、まだ風量増加の判断の対象にしていない室内環境があるか否かを判断する。まだ風量増加の判断の対象にしていない室内環境があれば、ステップＳ４でＹｅｓとなり、ステップＳ２に進む。まだ風量増加の判断の対象にしていない室内環境が無ければ、ステップＳ４でＮｏとなり、処理を終了する。
【００２２】
制御装置２０による換気装置１１，１２，１３の風量の制御例について以下に説明する。
【００２３】
図３は、実施の形態１に係る換気システムが設置された事務室の見取り図である。換気装置１１は、事務机エリアに設置されており、換気装置１２は、打合机エリアに設置されており、換気装置１３は、受付エリアに設置されている。なお、事務室５０内の室温、湿度、浮遊物質量及びガス濃度は、基準値以下であるとする。
【００２４】
事務机エリアには空気調和機２が設置されている。事務室５０は、空気調和機２が一台だけ設置されているため、空気調和機２が稼働しても、室温が不均一になりやすい状況となっている。
【００２５】
図３に示すように、換気装置１１，１２，１３の設置箇所に人がいない場合は、制御回路１３１，２３１，３３１から制御部２１に、人がいないことを示す室内環境情報が送信される。制御部２１は、要換気箇所が一つも無いと判断し、換気強度を弱とする換気風量設定情報を制御回路１３１，２３１，３３１に送信する。換気風量設定情報を受信した制御回路１３１，２３１，３３１は、弱ノッチで換気扇１１１，２１１，３１１を運転する。換気装置１１，１２，１３の換気強度を弱に設定することで、事務室５０内の必要換気総風量５４０ｍ３／ｈが満足される。
【００２６】
図４は、図３に示した事務室に人が入室した状態を示す図である。図４に示すように、換気装置１１，１２の設置箇所に人がおり、換気装置１３の設置箇所に人がいない場合は、制御回路１３１，２３１からは、人がいることを示す室内環境情報が制御部２１に送信される。一方、制御回路３３１からは、人がいないことを示す室内環境情報が制御部２１に送信される。制御部２１は、換気装置１１，１２が設置されたエリアが要換気箇所であると判断し、換気強度を強とする換気風量設定情報を制御回路１３１，２３１に送信する。また、制御部２１は、換気装置１１，１２，１３による総換気量が必要換気量以上で最小になる組み合わせとなるように換気強度を微弱とする換気風量設定情報を制御回路３３１に送信する。換気風量設定情報を受信した制御回路１３１，２３１は、強ノッチで換気扇１１１，２１１を運転し、換気風量設定情報を受信した制御回路３３１は、微弱ノッチで換気扇３１１を運転する。換気装置１１，１２，１３による換気総風量は５４０ｍ３／ｈとなり、過換気の抑制となるため、省エネルギー性能が維持しつつ要換気箇所の換気を行える。
【００２７】
なお、人がいる箇所の静音性が求められることもあるため、実施の形態１に係る換気システム８０は、設置箇所に人が在室する場合に換気強度を弱又は微弱にする静音性重視モードと、設置箇所に人が在室する場合に換気強度を強にする空気質重視モードとを選択可能となっている。静音性重視モードの場合、人がいるエリアが一箇所であれば、人がいるエリアに設置されている換気装置１１，１２，１３の換気強度が微弱となり、人がいないエリアに設置されている換気装置１１，１２，１３の換気強度が強となることで、省エネルギー性能が維持される。
【００２８】
図５は、図４に示した人が在室中の事務室の空気質が悪化した状態を示す図である。花粉の侵入などによって浮遊物質が増加して換気装置１３の設置箇所の空気質が悪化すると、制御回路１３１，２３１からは、浮遊物質量が閾値未満であることを示す室内環境情報が制御部２１に送信される。一方、制御回路３３１からは、浮遊物質量が閾値以上であることを示す室内環境情報が制御部２１に送信される。人が在室することよりも浮遊物質量が閾値以上であることの方が高い優先順位に設定されているため、制御部２１は、換気装置１３が設置されたエリアのみが要換気箇所であると判断し、換気強度を強とする換気風量設定情報を制御回路３３１に送信する。また、制御装置２０は、換気装置１１，１２，１３による総換気量が必要換気量以上で最小になる組み合わせとなるように換気強度を弱とする換気風量設定情報を制御回路１３１，２３１に送信する。換気風量設定情報を受信した制御回路１３１，２３１は、弱ノッチで換気扇１１１，２１１を運転し、換気風量設定情報を受信した制御回路３３１は、強ノッチで換気扇３１１を運転する。換気装置１１，１２，１３による換気総風量は、６１０ｍ３／ｈとなるため、事務室５０は過換気状態となる。
【００２９】
換気装置１３の設置箇所の浮遊物質量が閾値未満となると、制御回路１３１，２３１，３３１から浮遊物質量が閾値未満であることを示す室内環境情報が制御部２１に送信される状態となる。このとき、制御回路１３１，２３１からは、人がいることを示す室内環境情報が制御部２１に送信されており、制御回路３３１からは、人がいないことを示す室内環境情報が制御部２１に送信されるため、制御部２１は、換気装置１１，１２が設置されたエリアが要換気箇所であると判断し、換気強度を強とする換気風量設定情報を制御回路１３１，２３１に送信する。また、制御部２１は、換気装置１１，１２，１３による総換気量が必要換気総風量以上で最小になる組み合わせとなるように換気強度を微弱とする換気風量設定情報を制御回路３３１に送信する。換気風量設定情報を受信した制御回路１３１，２３１は、強ノッチで換気扇１１１，２１１を運転し、換気風量設定情報を受信した制御回路３３１は、微弱ノッチで換気扇３１１を運転する。
【００３０】
空気質の悪化を検出した際に、一時的に事務室５０を過換気状態にして空気質の改善を優先することにより、空気質の改善に要する時間を短縮することができる。また、空気質の悪化を検出した換気装置１３の換気強度を強にすることにより、空気質が悪化した空気が他の箇所へ流入することを抑制できる。
【００３１】
図６は、図４に示した人が在室中の事務室の室温が高くなった状態を示す図である。なお、室温が高くなっている状態とは、室温が温度閾値以上になっている状態である。換気装置１１，１２，１３の設置箇所において、室温が高くなっているため、制御回路１３１，２３１，３３１から制御部２１に、室温が温度閾値以上になっていることを示す室内環境情報が送信される。制御部２１は、換気装置１１，１２，１３の設置箇所が全て要換気箇所であると判断し、換気強度を強とする換気風量設定情報を制御回路１３１，２３１，３３１に送信する。換気風量設定情報を受信した制御回路１３１，２３１，３３１は、強ノッチで換気扇１１１，２１１，３１１を運転する。換気装置１１，１２，１３による換気総風量は、７５０ｍ３／ｈとなるため、事務室５０は過換気状態となる。
【００３２】
換気装置１１，１２，１３の設置箇所の室温が低下すると、制御回路１３１，２３１，３３１から室温が閾値未満であることを示す室内環境情報が制御部２１に送信される状態となる。このとき、制御回路１３１，２３１からは、人がいることを示す室内環境情報が制御部２１に送信されており、制御回路３３１からは、人がいないことを示す室内環境情報が制御部２１に送信されるため、制御部２１は、換気装置１１，１２が設置されたエリアが要換気箇所であると判断し、換気強度を強とする換気風量設定情報を制御回路１３１，２３１に送信する。また、制御部２１は、換気装置１１，１２，１３による総換気量が必要換気総風量以上で最小になる組み合わせとなるように換気強度を微弱とする換気風量設定情報を制御回路３３１に送信する。換気風量設定情報を受信した制御回路１３１，２３１は、強ノッチで換気扇１１１，２１１を運転し、換気風量設定情報を受信した制御回路３３１は、微弱ノッチで換気扇３１１を運転する。
【００３３】
室温が高くなっていることを検出した際に、一時的に事務室５０を過換気状態にして室温の低下を優先することにより、室温を下げるのに要する時間を短縮することができる。また、空気調和機２の運転に先立って事務室５０を換気して室温を下げることにより、空調負荷を低減して省エネルギー化を図ることができる。
【００３４】
図７は、実施の形態１に係る換気システムが設置された事務室の室温が高くなっている時に空気調和機を運転した状態を示す図である。事務机エリアは空調により室温が閾値未満となっている一方、打合机エリア及び受付エリアでは空調された空気が行き届かず室温が閾値以上となっている。換気装置１２，１３の設置箇所の室温が高くなっているため、制御回路２３１，３３１から制御部２１に、室温が温度閾値以上になっていることを示す室内環境情報が送信される。制御部２１は、換気装置１２，１３が設置されたエリアが要換気箇所であると判断し、換気強度を強とする換気風量設定情報を制御回路２３１，３３１に送信する。また、制御部２１は、換気装置１１，１２，１３による換気総風量が必要換気総風量以上で最小になる組み合わせとなるように換気強度を微弱とする換気風量設定情報を制御回路１３１に送信する。換気風量設定情報を受信した制御回路１３１は、微弱ノッチで換気扇１１１を運転し、換気風量設定情報を受信した制御回路２３１，３３１は、強ノッチで換気扇２１１，３１１を運転する。これにより、室温が閾値以上である打合机エリア及び受付エリアでは排熱を継続し、事務机エリアの空調された快適温空気が排気されることを抑制する。また、強の換気強度に設定される換気装置１２，１３に向かって快適温度空気の流れができるため、事務室５０内の温度ムラが改善される。
【００３５】
実施の形態１に係る換気システム８０は、過換気抑制又は空調負荷削減による省エネルギー性向上及び在室者の快適性向上を実現できる。
【００３６】
なお、実施の形態１に係る換気システム８０は、環境検知センサ部１２１，２２１，３２１が検知した室内環境を制御装置２０が記憶し、定期的な空気汚染が発生する場合は制御部２１が事前に換気装置１１，１２，１３の換気強度設定を切り替え、室内環境が悪化することを予防する制御仕様とすることもできる。また、実施の形態１に係る換気システム８０は、ホームエネルギーマネージメントシステム（Home  Energy  Management  System,  HEMS）のコントローラを介し空気調和機２といった他の電気機器と連携する制御仕様としてもよい。
【００３７】
また、実施の形態１に係る換気システム８０は、制御装置２０が換気装置１１，１２，１３を制御したが、換気装置１１，１２，１３のいずれかがマスタとなり、他がスレーブとなることにより、マスタとなった換気装置１１，１２，１３の制御回路１３１，２３１，３３１がスレーブとなった換気装置１１，１２，１３を制御してもよい。
【００３８】
実施の形態１に係る換気システム８０は、換気装置１１，１２，１３の設置箇所の室内環境を検知する環境検知センサ部１２１，２２１，３２１を換気装置１１，１２，１３に設けているが、環境検知センサ部１２１，２２１，３２１の一部又は全部の機能を換気装置１１，１２，１３の外部に設けても良い。
【００３９】
上記の実施の形態１に係る制御装置２０の制御部２１の機能は、処理回路により実現される。処理回路は、専用のハードウェアであっても、記憶装置に格納されるプログラムを実行する処理装置であってもよい。
【００４０】
処理回路が専用のハードウェアである場合、処理回路は、単一回路、複合回路、プログラム化したプロセッサ、並列プログラム化したプロセッサ、特定用途向け集積回路、フィールドプログラマブルゲートアレイ、又はこれらを組み合わせたものが該当する。図８は、実施の形態１に係る制御装置の制御部の機能をハードウェアで実現した構成を示す図である。処理回路２９には、制御部２１の機能を実現する論理回路２９ａが組み込まれている。
【００４１】
処理回路２９が処理装置の場合、制御部２１の機能は、ソフトウェア、ファームウェア、又はソフトウェアとファームウェアとの組み合わせにより実現される。
【００４２】
図９は、実施の形態１に係る制御装置の制御部の機能をソフトウェアで実現した構成を示す図である。処理回路２９は、プログラム２９ｂを実行するプロセッサ２９１と、プロセッサ２９１がワークエリアに用いるランダムアクセスメモリ２９２と、プログラム２９ｂを記憶する記憶装置２９３を有する。記憶装置２９３に記憶されているプログラム２９ｂをプロセッサ２９１がランダムアクセスメモリ２９２上に展開し、実行することにより、制御部２１の機能が実現される。ソフトウェア又はファームウェアはプログラム言語で記述され、記憶装置２９３に格納される。プロセッサ２９１は、中央処理装置を例示できるがこれに限定はされない。記憶装置２９３は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、又はＥＥＰＲＯＭ（登録商標）（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）といった半導体メモリを適用できる。半導体メモリは、不揮発性メモリでもよいし揮発性メモリでもよい。また記憶装置２９３は、半導体メモリ以外にも、磁気ディスク、フレキシブルディスク、光ディスク、コンパクトディスク、ミニディスク又はＤＶＤ（Ｄｉｇｉｔａｌ  Ｖｅｒｓａｔｉｌｅ  Ｄｉｓｃ）を適用できる。なお、プロセッサ２９１は、演算結果といったデータを記憶装置２９３に出力しても記憶させてもよいし、ランダムアクセスメモリ２９２を介して不図示の補助記憶装置に当該データを記憶させてもよい。
【００４３】
処理回路２９は、記憶装置２９３に記憶されたプログラム２９ｂを読み出して実行することにより、制御部２１の機能を実現する。プログラム２９ｂは、制御部２１の機能を実現する手順及び方法をコンピュータに実行させるものであるとも言える。
【００４４】
なお、処理回路２９は、一部を専用のハードウェアで実現し、一部をソフトウェア又はファームウェアで実現するようにしてもよい。
【００４５】
このように、処理回路２９は、ハードウェア、ソフトウェア、ファームウェア、又はこれらの組み合わせによって、上述の各機能を実現することができる。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
２  空気調和機、１１，１２，１３  換気装置、２０  制御装置、２１  制御部、２２  必要換気量記憶部、２３  優先順位記憶部、２９  処理回路、２９ａ  論理回路、２９ｂ  プログラム、５０  事務室、６１  人感センサ、６２  温度センサ、６３  湿度センサ、６４  浮遊物質センサ、６５  ガスセンサ、８０  換気システム、１１１，２１１，３１１  換気扇、１２１，２２１，３２１  環境検知センサ部、１３１，２３１，３３１  制御回路、２９１  プロセッサ、２９２  ランダムアクセスメモリ、２９３  記憶装置。
【図１】
2020026888.tif 000003
【図２】
2020026888.tif 000004
【図３】
2020026888.tif 000005
【図４】
2020026888.tif 000006
【図５】
2020026888.tif 000007
【図６】
2020026888.tif 000008
【図７】
2020026888.tif 000009
【図８】
2020026888.tif 000010
【図９】
2020026888.tif 000011